(57)【要約】ハウジングと、ハウジング内に設けられたダイナミック型ドライバユニットと、長さが略１０ｍｍ以上であり、ダイナミック型ドライバユニットから出力された音声を伝送する音導管とを備えるイヤホンである。【選択図】図１
2016063462.tif 000002
【特許請求の範囲】
【請求項１】
ハウジングと、
前記ハウジング内に設けられたダイナミック型ドライバユニットと、
長さが略１０ｍｍ以上であり、前記ダイナミック型ドライバユニットから出力された音声を伝送する音導管と
を備えるイヤホン。
【請求項２】
前記音導管の長さは略１０ｍｍ以上４０ｍｍ以下である
請求項１に記載のイヤホン。
【請求項３】
前記音導管の長さは略３０ｍｍである
請求項２に記載のイヤホン。
【請求項４】
前記音導管の径が略１ｍｍである
請求項１に記載のイヤホン。
【請求項５】
前記音導管内にバネ体が設けられている
請求項１に記載のイヤホン。
【請求項６】
バランスド・アーマチュア型ドライバユニットをさらに備える
請求項１に記載のイヤホン。
【請求項７】
前記バランスド・アーマチュア型ドライバユニットから出力された音声の一部を前記ダイナミック型ドライバユニットを経由して前記ハウジング外に導出することにより、前記バランスド・アーマチュア型から出力された音声の低音域を減衰させる
請求項６に記載のイヤホン。
【請求項８】
前記ダイナミック型ドライバユニットには、前記バランスド・アーマチュア型ドライバユニットからの音声の特性を調整する特性調整部が設けられている
請求項７に記載のイヤホン。
【請求項９】
前記特性調整部は、前記バランスド・アーマチュア型ドライバユニットから出力された音声が通過する経路に設けられた複数の小孔である
請求項８に記載のイヤホン。
【請求項１０】
前記ダイナミック型ドライバユニットは、ユーザのイヤホン装着状態において、前記ユーザの顔の側面よりも外側に位置するように設けられている
請求項１に記載のイヤホン。
【請求項１１】
前記ダイナミック型ドライバユニットは、ユーザの耳珠よりも外側に位置するように設けられている
請求項１０に記載のイヤホン。
【請求項１２】
前記ハウジングはユーザの耳の形状に合わせて形成される
請求項１に記載のイヤホン。
【発明の詳細な説明】
【技術分野】
【０００１】
本技術は、イヤホンに関する。
【背景技術】
【０００２】
近年、ユーザの耳の形状の型をとり、その型を用いてユーザの耳の形状に合わせて製造するいわゆるカスタムメイドのイヤホンや補聴器（特許文献１）の需要が増してきている。そのようなカスタムイヤホン、補聴器にはユーザの耳の形状に合わせて製造するため、装着感がよいという利点がある。
【先行技術文献】
【特許文献】
【０００３】
【特許文献１】特許４０５８６９８号
【発明の概要】
【発明が解決しようとする課題】
【０００４】
そのようなカスタムイヤホン、補聴器においては、例えば、ユーザの嗜好などに合わせた音響特性など、目標とする音響特性を実現するために、ユーザの耳の形状などに合わせて各部の位置、寸法なども適切に設計する必要がある。【０００５】
本技術はこのような点に鑑みなされたものであり、ドライバユニットからの音声を適切な音響特性で出力するイヤホンを提供することを目的とする。
【課題を解決するための手段】
【０００６】
上述した課題を解決するために、本技術は、ハウジングと、ハウジング内に設けられたダイナミック型ドライバユニットと、長さが略１０ｍｍ以上であり、ダイナミック型ドライバユニットから出力された音声を伝送する音導管とを備えるイヤホンである。
【発明の効果】
【０００７】
本技術によれば、ドライバユニットからの音声を適切な音響特性で出力することができる。なお、ここに記載された効果は必ずしも限定されるものではなく、明細書中に記載されたいずれかの効果であってもよい。
【図面の簡単な説明】
【０００８】
【図１】図１Ａは、本技術に係るイヤホンの外観を示す斜視図であり、図１Ｂ乃至図１Ｇはイヤホンの六面図である。
【図２】図２は、イヤホンの内部構造を示す模式図である。
【図３】図３は、イヤホンが備えるダイナミック型ドライバユニットの振動板とユーザの耳の位置の関係を示す図である。
【図４】図４は、特性調整部の構成を示す図である。
【図５】図５は、イヤホン内における音声の流れを示す図である。
【図６】図６は、イヤホンの音響特性を示すグラフである。
【図７】図７は、バランスド・アーマチュア型ドライバユニットの音響特性を調整するための構成を説明する図である。
【発明を実施するための形態】
【０００９】
以下、本技術の実施の形態について図面を参照しながら説明する。なお、説明は以下の順序で行う。
＜１．実施の形態＞
［１−１．イヤホンの構成］
［１−２．イヤホンの音響特性］
＜２．変形例＞
【００１０】
＜１．実施の形態＞
［１−１．イヤホンの構成］
本実施の形態に係るイヤホン１の構成について説明する。図１Ａはイヤホン１の外観を示す斜視図であり、図１Ｂ乃至図１Ｇはイヤホン１の六面図である。図１Ｂは正面図、図１Ｃおよび図１Ｄは側面図、図１Ｅは上面図、図１Ｆは底面図、図１Ｇは背面図である。また、図２は、イヤホン１の内部構成を示す模式図である。
【００１１】
イヤホン１は、ハウジング１０、挿入部１００、ダイナミック型ドライバユニット２００、バランスド・アーマチュア型ドライバユニット（以下、ＢＡ型ドライバユニット３００と称する。）、音導管４００、筒部５００およびコード６００を備える。
【００１２】
ハウジング１０は、内部が空洞に構成されており、内部にダイナミック型ドライバユニット２００、ＢＡ型ドライバユニット３００などを収納するものである。ハウジング１０は、紫外線硬化樹脂により形成されている。なお、ハウジング１０は一方向側が開口するように構成されており、その一方向側の開口はハウジング１０内に設けられたダイナミック型ドライバユニット２００の一部を露出させるためのものである。また、他方側には挿入部１００が固着されている。
【００１３】
挿入部１００はイヤホン１装着時においてユーザの耳の外耳道に挿入するものである。挿入部１００は、熱可塑性を有する紫外線硬化樹脂を用いて、ハウジング１０より柔軟性を有するように構成されている。熱可塑性を有する紫外線硬化樹脂を用いることにより、ユーザの体温によって柔らかくなり、ユーザの耳の外耳道の形状に合わせて変形させることができる。
【００１４】
人間の耳の外耳道は顎を動かしたり、緊張したりするとそれに応じて形状が変化する。よって、挿入部１００が柔軟性および熱可塑性を有することにより、よりユーザの耳の外耳道の形状に合った挿入部１００にすることができ、装着感を向上させることができる。挿入部１００の先端は、ユーザの外耳道に挿入しやすいように丸みを帯びた形状に構成されている。
【００１５】
なお、ハウジング１０の一方側に挿入部１００を設ける構造においては、図２に示されるように、ハウジング１０の先端１１、１２が挿入部１００の内部に入り込むように構成するのが望ましい。このように構成することにより、ハウジング１０と挿入部１００の接続状態を強固なものにすることができる。
【００１６】
なお、本実施の形態においては、ハウジング１０の厚さは、略０.５〜略１．５ｍｍの範囲内に収まるように構成するのが望ましい。紫外線硬化樹脂の種類などによっても異なるが、このハウジング１０の厚さを実現するための紫外線の照射時間は約４０秒である。
【００１７】
ハウジング１０と挿入部１００は、ユーザの耳にシリコ−ン系材料のような耳型材を挿入・硬化させることにより型取りして採取した耳型を用い、その耳型から型取りした雌型に紫外線硬化樹脂を流し込み、所定時間紫外線を照射することにより形成されるものである。ユーザの耳型を用いて製造するものであり、本実施の形態に係るイヤホン１はいわゆるカスタムイヤホンである。よって、このように製造するカスタムイヤホンのハウジング１０および挿入部１００はユーザの耳の形状に合致した形状を備えており、ユーザごとに耳の形状に合致した装着感のよいイヤホンを実現することができるという利点がある。
【００１８】
挿入部１００内には、細い孔状の第１音導孔１０１、第２音導孔１０３が形成されている。詳しくは後述するが、第１音導孔１０１はダイナミック型ドライバユニット２００からの音声を挿入部１００の先端から外へ導いて出力するためのものである。また、第２音導孔１０３は、ＢＡ型ドライバユニット３００からの音声を挿入部１００の先端から外へ導いて出力するためのものである。
【００１９】
第１音導孔１０１の先端は第１音声出力口１０２として開口している。ダイナミック型ドライバユニット２００からの音声は第１音導孔１０１内を伝わり、最終的に第１音声出力口１０２から出力される。また、第２音導孔１０３の先端は第２音声出力口１０４として開口している。ＢＡ型ドライバユニット３００からの音声は第２音導孔１０３内を伝わり、最終的に第２音声出力口１０４から出力される。
【００２０】
第１音声出力口１０２と第２音声出力口１０４とは挿入部１００の先端において、隙間をなるべく小さくした状態で隣接して設けるとよい。これは、第１音声出力口１０２から出力されるダイナミック型ドライバユニット２００の音声と、第２音声出力口１０４から出力されるＢＡ型ドライバユニット３００の音声とが最終的なイヤホン１の音声として出力されるからである。さらに、ＢＡ型ドライバユニット３００の音響特性の調整において、第２音声出力口１０４から出力された音声を第１音声出力口１０２に導入する必要があるからである。この点については後述する。
【００２１】
ダイナミック型ドライバユニット２００は、ケース２０１、フレーム２０２、振動板２０３、通気抵抗体２０４を備える。さらに、図示は省略するがマグネット、プレート、ボイスコイルなども備える。フレーム２０２は略円板形状を有し、フレーム２０２の一面側に、振動板２０３が設けられている。フレーム２０２は、その略中央部分に、貫通するように孔状の通気孔２０５が形成されている。
【００２２】
フレーム２０２と振動板２０３との間には、空間（以下、第１空気室２０６と称する。）が形成されている。第１空気室２０６と、振動板２０３が設けられている側とは逆側の空間である第２空気室２０７とが通気孔２０５によって空間的に接続されている。
【００２３】
通気孔２０５の内部には、通気孔２０５を塞ぐように通気抵抗体２０４が設けられる。通気抵抗体２０４は、例えば圧縮ウレタン、不織布等によって形成され、空気の流動に対して抵抗成分となって作用する。ただし、通気抵抗体２０４の材質はそれに限定されるものではなく、空気の流動に対して所定の抵抗を付与することができれば、他の材質を用いてもよい。
【００２４】
ダイナミック型ドライバユニット２００は、イヤホン１において広く用いられている駆動方式であり、音声信号を振動板２０３に伝えることで音声を発生させるものである。ここで、音声信号とは、音声の情報が重畳された電気信号であり、振動板２０３が音声信号に応じて振動することにより、周囲の空気に疎密が生じ、音声信号に対応する音声が発生する。ダイナミック型ドライバユニット２００は、大型の振動板２０３を有していることにより、迫力のある低音域の出力が可能となっている。
【００２５】
なお、ダイナミック型ドライバユニット２００のケース２０１内に、例えば圧縮ウレタンなどの吸音材（図示せず。）が充填されている。その吸音材の量を調整することにより、ダイナミック型ドライバユニット２００の音量レベルの調整を行うことができる。
【００２６】
このように構成されたダイナミック型ドライバユニット２００は、一部がハウジング１０から露出した状態でハウジング１０内に設けられている。
【００２７】
ここで、図３を参照してユーザの耳および顔に対するイヤホン１の位置について説明する。図３は、イヤホン１がユーザの耳Ｐに装着された状態であり、挿入部１００が耳Ｐの外耳道Ｑに挿入されている状態である。
【００２８】
ダイナミック型ドライバユニット２００は、ユーザがイヤホン１を装着した状態において、ユーザの顔の側面よりも外側であることが望ましく、さらには、耳珠よりも外側であることが望ましい。さらに、図３に示されるように、ダイナミック型ドライバユニット２００の振動板２０３が、線分Ｓで示されるユーザの顔の側面よりも外側に位置するのが望ましい。なお、ダイナミック型ドライバユニット２００が耳の耳甲介腔内には入ってもよい。ユーザの耳がある程度の大きさを有することにより、ダイナミック型ドライバユニット２００が耳甲介腔内に収まる場合には、耳甲介腔内に収まるようにハウジング１０の形状を調整するとよい。ダイナミック型ドライバユニット２００が耳甲介腔内に収まるほうがより安定した状態でイヤホン１を装着することができるからである。
【００２９】
ダイナミック型ドライバユニット２００のケース２０１内の振動板２０３が設けられている側の略中央に、第１孔２１１が設けられている。第１孔２１１は、音導管４００が接続されており、ダイナミック型ドライバユニット２００からの音声を音導管４００に伝えるための音声出力用の孔である。
【００３０】
ケース２０１内の振動板２０３が設けられている側には第２孔２１２が形成されている。第２孔２１２の外側開口部分には、図４に示されるように、複数の小孔２２１、２２１を有する板体２２０が設けられている。板体２２０は、例えば、厚さが略０．１ｍｍのステンレス製の金属板である。板体２２０に形成されている小孔２２１の寸法は例えば、直径略０．１ｍｍである。板体２２０に設けられた複数の小孔２２１は特許請求の範囲における特性調整部に相当するものである。
【００３１】
ケース２０１の振動板２０３が設けられている側とは逆側であり、かつ、ハウジング１０内の位置に第３孔２１３が設けられている。さらに、ケース２０１の振動板２０３が設けられている側とは逆側であり、かつ、ハウジング１０外に露出する側の面には第４孔２１４が設けられている。なお、第４孔２１４は、一つに限られるものではなく、複数設けるとよい。
【００３２】
ダイナミック型ドライバユニット２００からの音声を伝送するための音導管４００の一端側はケース２０１に設けられた第１孔２１１に接続されている。また、音導管４００の他端は、挿入部１００内部に挿し込まれることによって、挿入部１００により支持されている。
【００３３】
音導管４００は、断面が略円形の弾性体で構成されたチューブ状の部材である。音導管４００は例えば、ポリ塩化ビニルにより構成されている。本実施の形態においては、音導管４００は長さ略３０ｍｍ、直径略１ｍｍのものとして構成されている。なお、音導管４００の長さは、略２０〜略４０ｍｍの範囲内であることが好ましく、さらに好ましくは略３０ｍｍである。この寸法は、ダイナミック型ドライバユニット２００の音響特性との関連性を有するものである。詳しくは後述する。なお、音導管４００とつながっている第１音導孔１０１の径は音導管４００の径よりわずかに大きく設定されている。例えば、第１音導孔１０１の径は２ｍｍである。
【００３４】
音導管４００の内部にはスプリング（図示せず。）が設けられている。スプリングは外周が音導管４００の内面に接するように設けられており、音導管４００を内部から支持することにより、音導管４００がつぶれてしまったり、折れ曲ってしまったりすることを防ぐためのものである。音導管４００は径が略１ｍｍの非常に細い部品であるため、スプリングを内部に設けて内部から支持しなければ、わずかな衝撃などによってつぶれたり折れ曲がったりしてしまうおそれがある。
【００３５】
音導管４００の内部を塞いでしまったり、音導管４００の内部空間を不必要に減らしてしまうことがないように、スプリングはある程度の強度は有しつつ、可能な限り細い金属材料で構成したものを用いるとよい。
【００３６】
ハウジング１０内には、ＢＡ型ドライバユニット３００が設けられている。ＢＡ型ドライバユニット３００の筐体内部には、アーマチュア、ボイスコイル、マグネット、ドライバーロッド、振動板（いずれも図示せず。）などが設けられている。ＢＡ型ドライバユニット３００は、アーマチュアと振動板を接続するように設けられたドライバーロッドによって、振動板を振動させて音声を発生させるものである。ＢＡ型ドライバユニット３００は他の方式のドライバユニットと比較してクリアで明瞭な中高域の出力が可能である。
【００３７】
ＢＡ型ドライバユニット３００の外面には、ダクト状の音声出力管３０１が設けられている。ＢＡ型ドライバユニット３００の音声は音声出力管３０１から出力される。ＢＡ型ドライバユニット３００は、音声出力管３０１が挿入部１００内に形成された第２音導孔１０３内に位置するように設けられている。さらに、ＢＡ型ドライバユニット３００の筐体の音声出力管３０１が設けられている側が挿入部１００内に埋没するように設けられている。ＢＡ型ドライバユニット３００の音声は音声出力管３０１から第２音導孔１０３を経由して最終的に第２音声出力口１０４から出力される。
【００３８】
ＢＡ型ドライバユニット３００の一部が挿入部１００内に埋没するように設けることにより、ＢＡ型ドライバユニット３００をハウジング１０内において安定した状態で固定することができる。また、ＢＡ型ドライバユニット３００を最終的に音が出力される挿入部１００の先端の近傍に位置させることができる。
【００３９】
ＢＡ型ドライバユニット３００の一部を挿入部１００内に埋没させる場合、ＢＡ型ドライバユニット３００と挿入部１００との間に隙間が生じて、図５の矢印Ｘに示されるように第２音導孔１０３とハウジング１０内部とが連通してしまうことを防ぐためにＢＡ型ドライバユニット３００と挿入部１００間の気密性を高める必要がある。これは、ＢＡ型ドライバユニット３００の音声が漏れてしまうことにより、音声の音量、解像度などの低下を防止するためである。
【００４０】
ＢＡ型ドライバユニット３００を安定した状態で保持するためには、ＢＡ型ドライバユニット３００の表面積の略１／３以上が挿入部１００内に埋まるように設けるのが好ましい。
【００４１】
なお、ＢＡ型ドライバユニット３００がダクト状の音声出力管３０１を備えず、音声を出力するための穴を備える場合には、その音声出力用の穴が第２音導孔１０３内において開口するようにＢＡ型ドライバユニット３００を設ける必要がある。
【００４２】
本実施の形態においては、第２音導孔１０３の長さは略１０ｍｍ、径は略２ｍｍに構成されている。ＢＡ型ドライバユニット３００と第２音声出力口１０４との距離、すなわち、第２音導孔１０３の長さを調整することにより、ＢＡ型ドライバユニット３００からの音声の音量レベルの調整を行うことができる。第２音導孔１０３の長さを短くし、ＢＡ型ドライバユニット３００と第２音声出力口１０４間の距離を短くすることによりバランスド・アーマチュア型ドライバユニットからの音量レベルを上げることができる。また、第２音導孔１０３の長さを長くし、ＢＡ型ドライバユニット３００と第２音声出力口１０４間の距離を長くすることによりＢＡ型ドライバユニット３００からの音量レベルを下げることができる。
【００４３】
図１に示されるように、ダイナミック型ドライバユニット２００には、筒部５００が一体的に取り付けられている。筒部５００は、内部が空洞状に構成されており、一端側から内部にコード６００が導入されている。筒部５００は内部にコード６００を収容し、コード６００とダイナミック型ドライバユニット２００の接続部分を保護する役割も果たす。
【００４４】
コード６００の一端は、筒部５００内を経由してダイナミック型ドライバユニット２００に接続されている。さらに、ダイナミック型ドライバユニット２００とＢＡ型ドライバユニット３００とがコード（図示せず。）で接続される。また、コード６００の他端にはＬ側コードとＲ側コードがまとめられた状態でプラグ（図示せず。）が設けられている。そのプラグがスマートフォン、ＭＰ３プレーヤなどの音声再生装置（図示せず。）に接続されることにより、イヤホン１１０が音声再生装置に接続される。音声再生装置としては、例えば、携帯型ＭＰ３プレーヤ、スマートフォン、携帯電話機、携帯型ゲーム機、携帯型ディスク媒体再生装置、タブレット端末、パーソナルコンピュータ、システムステレオ、テレビジョン受像機などがある。
【００４５】
音声再生装置から出力された音声信号はコード６００によって伝送されてダイナミック型ドライバユニット２００およびＢＡ型ドライバユニット３００に供給される。
【００４６】
イヤホン１は以上のように構成されている。なお、図においては左側のイヤホンのみを示しているが、通常、イヤホンは左側イヤホンと右側イヤホンとを一組として構成されている。ただし、片耳用イヤホンである場合には左側イヤホン、右側イヤホンのどちらかのみで構成される。
【００４７】
［１−２．イヤホンの音響特性］
次にイヤホン１の音響特性について説明する。図６は、ダイナミック型ドライバユニット２００とＢＡ型ドライバユニット３００とを備える本実施の形態に係るイヤホン１の音響特性を示したグラフである。縦軸は、音圧（dB SPL）を表しており、横軸は時間を表している。グラフの破線はダイナミック型ドライバユニット２００の音響特性を示すものであり、一点鎖線は、ＢＡ型ドライバユニット３００の音響特性を示すものである。そして、グラフの実線はダイナミック型ドライバユニット２００とＢＡ型ドライバユニット３００の双方の出力によるイヤホン１全体としての音響特性を示すものである。
【００４８】
本実施の形態においては、ダイナミック型ドライバユニット２００が低音域の出力を担っており、ＢＡ型ドライバユニット３００が中音域および高音域の出力を担っている。ダイナミック型ドライバユニット２００は、大型の振動板２０３を有していることにより、迫力のある低音域の出力が可能となっている。また、ＢＡ型ドライバユニット３００は他の方式のドライバユニットと比較してクリアで明瞭な中高域の出力が可能である。よって、ダイナミック型ドライバユニット２００で低音域を担い、ＢＡ型ドライバユニット３００で中高域を担うことにより、迫力があり、かつ、クリアな音声を出力することが可能となる。
【００４９】
ダイナミック型ドライバユニット２００においては、音導管４００が音響的な抵抗成分となっており、低音域のみを通過させるいわゆるローパスフィルタの役割を担っている。ヘルムホルツの共鳴箱の原理を利用し、振動板２０３の前面の空間である第１空気室２０６の容積と音導管４００のイナータンスの設定により音響的なローパスフィルタを形成することができる。
【００５０】
詳しくは、チューブの長さ、径を調整することにより通過させる帯域を調整することができる。なお、音導管４００の径の２乗と長さには相関関係があり、長さを短くすると径は小さくなる。音導管４００の長さと径によってローパスフィルタのカットオフ周波数が決定される。例えば、音導管４００が長くなるが、ダイナミック型ドライバユニット２００の音響特性を維持しようとする場合には音導管４００の径を大きくする必要がある。よって、例えば、ユーザの耳のサイズに合わせてハウジング１０のサイズが大きくなることにより音導管４００が長くなるが音響特性を維持したい場合には、音導管４００の径を大きくする必要がある。
【００５１】
ダイナミック型ドライバユニット２００の選定と構造の制約から、第１空気室２０６の容積は略３ｃｃはある程度決定される。また、本実施の形態においては、音導管４００の径は音導管４００全体のハウジング１０への収まりと折れにくさを考慮して略１ｍｍが好ましい。さらに、ダイナミック型ドライバユニット２００の出力に対するフィルタのカットオフ周波数を１５０Ｈｚとして、そのカットオフ周波数が１５０Ｈｚになるように音導管４００の長さを調整していった結果、音導管４００の長さを略３０ｍｍと設定した。
【００５２】
音導管４００の径と比べて長さの方が長ければ音響的な影響は認められるが、可聴帯域で影響させるためには、音導管４００の径が１ｍｍであれば音導管４００の長さは１０ｍｍ以上は必要になる。音導管４００をローパスフィルタとして機能させる場合は、音導管４００の長さは、略２０ｍｍから略４０ｍｍ程度が有効と考えられる。
【００５３】
また、ダイナミック型ドライバユニット２００のケース２０１内に充填された吸音材の量を調整することによりダイナミック型ドライバユニット２００からの音声の音量レベルを調整することができる。ダイナミック型ドライバユニット２００からの音量レベルを上げる場合には、吸音材の充填量を減らし、音量レベルを下げる場合には吸音材の充填量を増やすとよい。
【００５４】
なお、ダイナミック型ドライバユニット２００における音響特性の調整においてはＢＡ型ドライバユニット３００の影響はない。
【００５５】
ＢＡ型ドライバユニット３００においては、イヤホン１の内部構造が音響的な抵抗成分となっており、中高域を通過させるフィルタとしての役割を担っている。この点について図７を参照して説明する。
【００５６】
ＢＡ型ドライバユニット３００からの音声は第２音導孔１０３を経由して第２音声出力口１０４から音声として出力される。その際、第２音声出力口１０４から出力された音声の一部は図７中の矢印Ｙに示されるように第１音声出力口１０２から第１音導孔１０１に入り、音導管４００を介してダイナミック型ドライバユニット２００内に導かれる。次に、ダイナミック型ドライバユニット２００内に導かれたＢＡ型ドライバユニット３００からの音声は第２孔２１２からダイナミック型ドライバユニット２００外に導出され、第３孔２１３から再びダイナミック型ドライバユニット２００内に導かれる。そして、最終的に第４孔２１４からイヤホン１外へ導出される。
【００５７】
このような構成でＢＡ型ドライバユニット３００の音声の一部を外に放出することにより低音域を減衰させて、中高域のみを通過させるフィルタとしての機能を実現している。なお、上述したように第２孔２１２には複数の小孔２２１を有する板体２２０が設けられており、その板体２２０の小孔２２１の数または／および寸法を調整して通気量を調整することにより、通過させる帯域の調整を行うことができる。板体２２０における通気量を増やすことにより、低音域の感度を下げることができる。また、板体２２０における通気量を減らすことにより低音域の感度を上げることができる。
【００５８】
なお、ＢＡ型ドライバユニット３００における音響特性の調整においてはダイナミック型ドライバユニット２００の影響はない。
【００５９】
このようにしてダイナミック型ドライバユニット２００の音量および音響特性、ＢＡ型ドライバユニット３００の音量および音響特性を個別に調整することができる。
【００６０】
以上のようにして、本実施の形態におけるイヤホン１の音響特性が決定される。本技術によれば、２種類のドライバユニットを用い、帯域の調整、および帯域ごとの音量調整を行うことができるため、出力される音声の音響特性を調整することができる。これにより、ユーザの嗜好、ユーザが聴く音楽のジャンルなどに合わせた音響特性を備えるイヤホンを実現することができる。ユーザごとの音響特性を有するイヤホンを製造できるため、ユーザの要望に答えることができるとともに、ユーザに最適なイヤホンを提案することもできる。このため、高級志向のユーザ、音質にこだわりを持つユーザ向けのイヤホンとして好適である。また、ミュージシャンのライブ演奏時におけるモニター用イヤホンとしても好適である。
【００６１】
また、ユーザの耳の形状により、ハウジング１０の形状、挿入部１００の長さ、音導管４００の長さなどに変更が生じても、それに応じて、特性調整部の通気量、吸音材の量、音導管４００の径を調整することにより、音響特性を変化させないことも可能である。
【００６２】
さらに、このようにしてイヤホン１の音響特性の調整を行うことができるようにしたため、電気的なフィルタなどを用いることなく所望の音響特性を実現することができる。イヤホン１内における電気部品、電子部品の数を極力少なくすることにより、部品コストの削減、製造工程の簡略化を図ることができる。また、電気部品、電子部品によるインピーダンスの変化などが少ないため製造が容易となる。また、電気部品、電子部品の数が少ないことにより、故障の発生頻度を減らすこともできる。さらに、仮に故障が生じても、故障した箇所を特定し、修理を行うことも容易となる。
【００６３】
＜２．変形例＞
以上、本技術の実施の形態について具体的に説明したが、本技術は上述の実施の形態に限定されるものではなく、本技術の技術的思想に基づく各種の変形が可能である。
【００６４】
上述の実施の形態においては、ＢＡ型ドライバユニットは一つである場合を例にして説明を行った。しかし、ＢＡ型ドライバユニットの数は一つに限られるものではなく、複数であってもよい。
【００６５】
例えば、ＢＡ型ドライバユニットを二つ設ける場合、それぞれのＢＡ型ドライバユニットの役割を高音域用と中音域用とで分けることができる。この場合、ハウジング１０内において２つのＢＡ型ドライバユニットを隣り合わせで設けるのが好ましい。なお、音導孔および音声出力口はそれぞれのＢＡ型ドライバユニットごとに設けてもよいし、一つの音導孔および音声出力口を２つのＢＡ型ドライバユニットで共有するようにしてもよい。
【００６６】
また、例えばユーザの耳が小さく、ダイナミック型ドライバユニット２００を小さいものにする必要がある場合、小さくしたことにより減った低音域をＢＡ型ドライバユニットで補うようにしてもよい。ＢＡ型ドライバユニットを２つ設け、一つを中高域用とし、もう一つを低音域用とする。この場合、低音域よりもさらに低い帯域である超低音域のみをダイナミック型ドライバユニット２００で担うようにすることも可能である。
【００６７】
上述の実施の形態では、コード６００によってイヤホン１と音声再生装置とが接続されていたが、他の方法、例えば、Bluetooth方式の近接無線通信によってイヤホン１と音声再生装置とが接続されてもよい。その場合には、コード６００のイヤホン１と接続されている側とは逆側に筐体を設け、その筐体内にBluetooth通信に必要なBluetooth通信用モジュール、アンテナ、バッテリなどを設けてもよいし、コード６００を設けずに、ハウジング１０内それらを収容するようにしてもよい。なお、この場合、音声再生装置がBluetoothのマスターとして機能し、イヤホン１がスレーブとして機能する。
【００６８】
さらに、Bluetooth以外の無線通信方式、例えばWi-Fi（Wireless Fidelity）、ZigBeeなどを用いて音声再生装置とイヤホン１の接続を行ってもよい。この場合も、上述したBluetoothの場合と同様に、コード６００のイヤホン１と接続されている側とは逆側に筐体を設け、その筐体内に通信用のアンテナなどの各種構成を収納してもよいし、コード６００を設けずにハウジング１０内に収納するようにしてもよい。
【００６９】
また、イヤホンにノイズキャンセリング機能を持たせるために、ノイズキャンセリング用回路、ノイズを収集してノイズキャンセリング用回路に供給するノイズ集音用マイクなどのノイズキャンセリングを実現するための必要な構成をハウジング１０に設けるようにしてもよい。ノイズキャンセリングオンオフ用スイッチはハウジング１０の外面に露出するように設けるとよい。
【００７０】
また、イヤホンと音声再生装置とを一体型として構成としてもよい。この場合、ハウジング１０内に、音声データ保存用のメモリ、音声信号処理回路、制御回路、バッテリなどを設け、ハウジング１０の外面に露出するように操作部を設けるようにしてもよい。さらにこの場合、イヤホン一体型音声再生装置を防水仕様にしてもよい。
【００７１】
本技術は以下のような構成も取ることができる。
【００７２】
（１）
ハウジングと、
前記ハウジング内に設けられたダイナミック型ドライバユニットと、
長さが略１０ｍｍ以上であり、前記ダイナミック型ドライバユニットから出力された音声を伝送する音導管と
を備えるイヤホン。
（２）
前記音導管の長さは略１０ｍｍ以上４０ｍｍ以下である
（１）に記載のイヤホン。
（３）
前記音導管の長さは略３０ｍｍである
（１）または（２）に記載のイヤホン。
（４）
前記音導管の径が略１ｍｍである
（１）から（３）のいずれかに記載のイヤホン。
（５）
前記音導管内にバネ体が設けられている
（１）から（４）のいずれかに記載のイヤホン。
（６）
バランスド・アーマチュア型ドライバユニットをさらに備える
（１）から（５）のいずれかに記載のイヤホン。
（７）
前記バランスド・アーマチュア型ドライバユニットから出力された音声の一部を前記ダイナミック型ドライバユニットを経由して外に導出することにより、前記バランスド・アーマチュア型から出力された音声の低音域を減衰させる
（６）に記載のイヤホン。
（８）
前記ダイナミック型ドライバユニットには、前記バランスド・アーマチュア型ドライバユニットからの音声の特性を調整する特性調整部が設けられている
（７）に記載のイヤホン。
（９）
前記特性調整部は、前記バランスド・アーマチュア型ドライバユニットから出力された音声が通過する経路に設けられた複数の小孔である
（８）に記載のイヤホン。
（１０）
前記ダイナミック型ドライバユニットは、ユーザのイヤホン装着状態において、前記ユーザの顔の側面よりも外側に位置するように設けられている
（１）から（９）のいずれかに記載のイヤホン。
（１１）
前記ダイナミック型ドライバユニットは、ユーザの耳珠よりも外側に位置するように設けられている
（１０）に記載のイヤホン。
（１２）
前記ハウジングはユーザの耳の形状に合わせて形成される
（１）から（１１）のいずれかに記載のイヤホン。
（１３）
ハウジングと、
前記ハウジングより柔軟性を有するように構成され、前記ハウジングに取り付けられる挿入部と、
前記挿入部内に一部が密着した状態で埋め込まれることにより前記ハウジング内に設けられているバランスド・アーマチュア型ドライバユニットと
を備える（１）から（１２）のいずれかにイヤホン。
（１４）
前記挿入部内には、前記バランスド・アーマチュア型ドライバユニットから出力された音声を前記挿入部外へ導く音導孔が形成されており、前記バランスド・アーマチュア型ドライバユニットは、前記音導孔と前記ハウジングの内部とが連通せず前記挿入部に密着した状態で埋め込まれている
（１）から（１３）のいずれかに記載のイヤホン。
（１５）
前記バランスド・アーマチュア型ドライバユニットは、前記挿入部内に表面積の略１／３以上が埋没するように設けられている
（１）から（１４）のいずれかに記載のイヤホン。
（１６）
前記音導孔の長さは略１０ｍｍである
（１）から（１５）のいずれかに記載のイヤホン。
（１７）
前記ハウジングは、紫外線硬化樹脂で構成されている
（１）から（１６）のいずれかに記載のイヤホン。
（１８）
前記挿入部は、熱可塑性を有する紫外線硬化樹脂で構成されている
（１）から（１７）のいずれかに記載のイヤホン。
（１９）
ダイナミック型ドライバユニットをさらに備える
（１）から（１８）のいずれかに記載のイヤホン。
（２０）
前記挿入部内に、前記ダイナミック型ドライバユニットから出力された音声を前記挿入部外へ導く第２の音導孔が設けられており、
前記ハウジング内に、前記ダイナミック型ドライバユニットからの音声を前記第２の音導孔に伝える音導管が設けられている
（１）から（１９）のいずれかに記載のイヤホン。
（２１）
前記音導管は、一端側が前記ダイナミック型ドライバユニットに接続され、他端側が前記挿入部内に挿し込まれることにより固定されて、前記第２の音導孔に連通している
（１）から（２０）のいずれかに記載のイヤホン。
（２２）
前記挿入部内に前記ハウジングの一部が入り込んでいる
（１）から（２１）のいずれかに記載のイヤホン。
（２３）
前記ハウジングは、厚さが略０．５ｍｍ以上である
（１）から（２２）のいずれかに記載のイヤホン。
（２４）
前記ハウジングは、厚さが略０．５ｍｍ〜略１．５ｍｍである
（１）から（２３）のいずれかに記載のイヤホン。
【符号の説明】
【００７３】
１・・・・・・イヤホン
１０・・・・・ハウジング
１００・・・・挿入部
１０１・・・・第１音導孔
１０３・・・・第２音導孔
２００・・・・ダイナミック型ドライバユニット
２０３・・・・振動板
２２０・・・・板体
３００・・・・バランスド・アーマチュア型ドライバユニット
４００・・・・音響管
【図１】
2016063462.tif 000003
【図２】
2016063462.tif 000004
【図３】
2016063462.tif 000005
【図４】
2016063462.tif 000006
【図５】
2016063462.tif 000007
【図６】
2016063462.tif 000008
【図７】
2016063462.tif 000009
【国際調査報告】
2016063462.tif 000010
2016063462.tif 000011
2016063462.tif 000012
2016063462.tif 000013